【事件の表示】
　特願２００６−　１３６４７「素振り練習器具」拒絶査定不服審判事件〔平成１９年　８月　２日出願公開、特開２００７−１９０３２０〕について、次のとおり審決する。
【結　論】
　本件審判の請求は、成り立たない。
【理　由】
第１　手続の経緯
　本願は、平成１８年（２００６年）年１月２３日の出願（特願２００６−１３６４７号）であって、平成１９年１１月２０日付けで手続補正がなされ、平成２０年２月２５日付けで拒絶査定がなされ、これに対して、同年３月２８日に拒絶査定不服審判の請求がなされ、同年４月２５日付けで手続補正がなされたものである。
　
第２　平成２０年４月２５日付けの手続補正についての補正の却下の決定について
　
［補正の却下の決定の結論］
　平成２０年４月２５日付けの手続補正（以下、「本件補正」という。）を却下する。
　
［理由］
１　本件補正について
　本件補正により、特許請求の範囲の請求項１に係る発明は、平成１９年１１月２０日付けの手続補正書の特許請求の範囲の請求項１に記載の、
　
「自動車ホイール付きタイヤの上面に設置する柱脚支持板と、この柱脚支持板から垂設して前記自動車ホイールを貫通する柱脚固定ボルトと、この柱脚固定ボルトに挿通する柱脚固定座板と、前記柱脚固定ボルトに螺着して前記柱脚支持板と柱脚固定座板とで前記自動車ホイールを挟み付けナットと、前記柱脚支持板から立設するアングル柱と、このアングル柱に上下動自在に組み付けた上下スライド板と、前記上下スライド板に下端部を取り付けて上部を自由端とする合成ゴムと、この合成ゴムと前記上下スライド板との間に介在する振れ止めと、前記合成ゴムより高く突出するように前記上下スライド板に着脱自在に取り付けられた弾性部材ポールと、前記合成ゴムに対してスイング方向前側に位置して前記柱脚支持板に左右方向に移動自在に取り付けたホームベース板とを備え、前記合成ゴムをインパクトポイントとして、バットと合成ゴムの打突音の違いでスイングの良否を判断する素振り練習器具として機能するとともに、前記弾性部材ポールの上にボールをセットして守備ノック用のティとしても転用可能であり、かつ、前記アングル柱に取付けられた上下スライド板を上下に移動をさせて位置決めし、左右方向についても、タイヤ上部のホームベース板の移動によって、コース選択できることを特徴とする素振り練習器具。」が　
　
「自動車ホイール付きタイヤの上面に設置する柱脚支持板と、この柱脚支持板から垂設して前記自動車ホイールを貫通する柱脚固定ボルトと、この柱脚固定ボルトに挿通する柱脚固定座板と、前記柱脚固定ボルトに螺着して前記柱脚支持板と柱脚固定座板とで前記自動車ホイールを挟み付けナットと、前記柱脚支持板から立設するアングル柱と、このアングル柱に上下動自在に組み付けた上下スライド板と、スイング方向に対して交叉するように前記上下スライド板に下端部を固定して該上下スライド板から垂直方向に伸びる上部を自由端とする板状の合成ゴムと、この合成ゴムと前記上下スライド板との間に介在する振れ止めと、前記合成ゴムより高く突出するように前記上下スライド板に着脱自在に取り付けられた弾性部材ポールと、前記合成ゴムに対してスイング方向前側に位置して前記柱脚支持板に左右方向に移動自在に取り付けたホームベース板とを備え、前記合成ゴムをインパクトポイントとして、バットと合成ゴムの打突音の違いでスイングの良否を判断する素振り練習器具として機能するとともに、前記弾性部材ポールの上にボールをセットして守備ノック用のティとしても転用可能であり、かつ、前記アングル柱に取付けられた上下スライド板を上下に移動をさせて位置決めし、左右方向についても、タイヤ上部のホームベース板の移動によって、コース選択できることを特徴とする」と補正された。
　なお、本件補正後の本願の請求項１に係る発明の記載は、「特徴とする」で終わっているが、平成２２年２月３日付けで請求人が提出した回答書を参酌すれば、「特徴とする素振り練習器具。」であることは明らかであり，本件補正後の本願の請求項１に係る発明は、語尾を「特徴とする素振り練習器具。」の記載で補って認定する。
　そして、この補正は、本件補正前の請求項１について、合成ゴムの伸びる方向に関して、「スイング方向に対して交叉する」「上下スライド板から垂直方向」と限定して特定する補正事項、及び、合成ゴムに関して「板状」であると限定して特定する補正事項からなり、いずれの補正事項も特許請求の範囲のいわゆる限定的減縮を目的とするものであるといえる。
　すなわち、本件補正は、平成１８年法律第５５号改正附則第３条第１項によりなお従前の例によるとされる同法による改正前の特許法（以下、「平成１８年改正前特許法」という。）第１７条の２第４項第２号に掲げる事項を目的とする補正である。
　
２　独立特許要件違反についての検討
　そこで、次に、本件補正後の特許請求の範囲の請求項１に係る発明（以下、「本願補正発明」という。）が特許出願の際独立して特許を受けることができるものか（平成１８年改正前特許法第１７条の２第５項において準用する特許法第１２６条第５項の規定に違反しないか）について検討する。
　
（１）本願補正発明
　本願補正発明は、平成２０年４月２５日付けの手続補正書の特許請求の範囲の請求項１に記載されている事項を、その語尾を「特徴とする素振り練習器具。」の記載で補って特定されるものである。（上記「第２　平成２０年４月２５日付けの手続補正についての補正の却下の決定について」の「１　本件補正について」の記載参照。）
　
（２）引用例
ア　原査定の拒絶の理由に引用され、本願の出願前に頒布された刊行物である特開平９−７５４９２号公報（以下、「引用例１」という。）には、以下の事項が記載されている。（後述の「イ　引用例１に記載された発明の認定」において発明の認定に直接関係する記載に下線を付した。）
　
「【０００１】
【発明の属する技術分野】この発明は、野球のバットを素振りしてバッティングの練習を行う素振り練習に適用される素振り練習用具に関する。
【０００２】
【従来の技術】従来では、バッティングの素振り練習に際し、床面上乃至地面上に載置される台板と、この台板上に立設されたポ−ルと、このポ−ルの上端に取付けられてボ−ルが載置されるティ−とを備えた素振り練習用具が使用されていた。
【０００３】
【発明が解決しようとする課題】上記した従来の素振り練習用具では多数個のボ−ルが必要で、叩打したボ−ル群を回収する回収作業が必要となる問題点や、ボ−ルをバットの真芯で叩打したか否かを判断しにくい等の問題点がある。本発明は素振り動作の適否の判断を明確化して練習効果を高めることを課題とするものである。
【０００４】
【課題を解決するための手段】請求項１の発明は、上下方向への変位可能に設置される支持体には、合成樹脂材によって弾性曲げ変形可能に形成されてほぼ水平方向に沿って設置される被叩打部材を、バットで叩打される自由端が前記被叩打部材の先端付近に形成された片持ち状態で結合した構成を有する。
【０００５】請求項１の発明では、素振り練習に際し、被叩打部材の自由端をバットで叩打すると、被叩打部材が曲げ変形してから元の形態に復帰変形するとともに、被叩打部材とバットとの衝突による叩打音が発生し、その叩打音によって被叩打部材を叩打したときの素振り動作およびバッティングフォ−ムの適否が判断される。」
　
「【０００８】
【発明の実施の形態】請求項１の発明において、被叩打部材の上方に設置されて支持体に取外し可能に連結されたティーバッティング用のティーと、被叩打部材とを併設し、
被叩打部材を叩打する素振り練習と、ティー上のボールを叩打する素振り練習とが選択的に行われるように構成する。
【０００９】また、請求項１の発明において、支持体を駆動して上下方向へ繰返し往復移動させ、被叩打部材の高さを一定範囲内で漸次変化させる支持体駆動機構を設ける。
【００１０】
【実施例】次に、本発明の１実施例を図１〜図５にしたがって説明する。野球用のバットを素振りしてバッティングの素振り練習を行うときに使用される素振り練習用具Ａは持ち運び可能な可搬型で分解および組立て可能に形成されている。
【００１１】素振り練習用具Ａにおいて、
円板状の基台１は素振り練習用具Ａの設置状態を安定にするために必要な適度の重量および大きさを有し、練習時に床面若しくは地面等の設置面Ｓ上に乗置される。
【００１２】
基台１の中心部上にはこの基台１に固定された丸パイプ状の支柱２が直立状に立設されている。
【００１３】支柱２の上端付近にはこの上端付近に形成されたナット部２ａに螺嵌された高さ調節ねじ３が結合されている。
【００１４】
支柱２には、下部が支柱２内に挿入されて高さ調節ねじ３によって取外し可能に締結され、基台１の上方に上下方向への変位可能に設置されたほぼ丸パイプ状の支持体４が直立状で取外し可能に結合されている。
【００１５】支持体４の上部付近には丸孔状の挿通孔４ａが貫設され、支持体４の上端には止めねじ６が螺嵌されたナット部４ｂが形成され、また、支持体４には高さ調節ねじ３が当接された平坦な当り面４ｃが全長にわたって形成されている。
【００１６】支持体４内にはこの支持体４の下端と挿通孔４ａの下側孔縁との間にわたって立設されて支持体４に固定された受け部材５が挿入され、この受け部材５の上端には挿通孔４ａの孔縁とほぼ等しい曲率半径で凹円弧面状に湾曲した形状を有し、挿通孔４ａの下側孔縁と等しい位置に配設された受け面５ａが形成されている。
【００１７】
支持体４には比較的軟質の合成樹脂材によって弾性曲げ変形可能に形成されて野球用のボールの外径およびバットの打撃部の外径より充分に縮小された外径を有し、素振り練習時にバットによって繰返し叩打される丸棒状の被叩打部材７が取外し可能に結合され、本例では被叩打部材７は外径が約１５mmで高度の曲げ弾発力を有するポリウレタン樹脂製の丸棒材によって形成されている。
【００１８】
被叩打部材７は、その基端付近が支持体４の挿通孔４ａに貫挿されてバットで叩打する目標となる自由端８が先端付近に形成された片持ち状態で受け部材５と止めねじ６との間に解離可能に挟止されて水平方向に沿って設置されている。
【００１９】被叩打部材７の自由端８付近の外周面には叩打する部位を識別し易くする目印９が表示されている。
【００２０】但し、図５に示すように被叩打部材７の自由端８の先端に球体状の打撃部８ａを形成してもよい。
【００２１】設置面Ｓから被叩打部材７までの高さは、支持体４を高さ調節ねじ３によって上下方向へ移動調整することによって練習者の身長に合わせて調整される。
【００２２】素振り練習に際し、練習者が被叩打部材７の自由端８をバットで叩打すると、被叩打部材７が曲げ変形してから元通りの形態に復帰変形するとともに、バットが被叩打部材７の自由端８に衝突したときに叩打音が発生し、自由端８をバットの真芯で叩打したときには快音が発生し、自由端８をバットの真芯以外で叩打したときには擦れ音が発生する。
【００２３】上記した実施例によれば、被叩打部材７を繰返し叩打しても、被叩打部材７が元通りの形態に復元するので、被叩打部材７を取替えたり、回収する作業が不要となり、素振りバッティング練習に伴う付随作業を無くして素振りバッティング練習を簡便化することができる。
【００２４】
とくに、被叩打部材７をバットによって叩打したときの被叩打部材７とバットとの衝突状態によって被叩打部材の曲げ変形形態および叩打音が変化し、被叩打部材７の自由端８をバットの真芯で適正に叩打したときには被叩打部材７およびバットが快音を発し、被叩打部材７の自由端８をバット真芯以外で不適正に叩打したときには被叩打部材およびバットが擦れ音を発するので、被叩打部材７をバットで叩打したときの手ごたえを練習者が叩打音によって明確に聞き分けて被叩打部材７の自由端８を真芯で叩打したか否かを的確に判断することができる
【００２５】従って、被叩打部材７をバットで繰り返し叩打することによって、バッティングフォ−ムを矯正してバッティング技術を向上させる適切な素振り練習を効果的に行うことができ、素振り練習の練習効果を高めることができる。
【００２６】また、被叩打部材７が水平方向に沿って設置され、また、被叩打部材７の外径がボールの外径より縮小されているので、被叩打部材７をバットの真芯で適正に叩打するためには、静止したボールをバットの真芯で適正に叩打するバッティング技術より厳正で高度のバッティング技術が要求されることになり、被叩打部材７を繰り返し叩打することによる練習効果とくにバッティングフォ−ムの矯正効果を高めてバッティング技術を的確に向上させることができる。
【００２７】次に、図６に示す本発明の第２実施例の素振り練習用具Ａについて説明すると、本例では素振り練習用具Ａには被叩打部材７とティーバッティング練習用のティー１０とが併設されている。
【００２８】素振り練習用具Ａは第１実施例と同様に構成された基台１、支柱２、支持体４および被叩打部材７を備えるとともに、
支持体４には被叩打部材７の上方に設置された硬質合成樹脂製のティー１０が取外し可能に連結されている。
【００２９】支持体４には丸パイプ状の連結部材１１が連結ねじ１２によって上下方向への移動調整および取外し可能に結合され、この連結部材１１の上端にはティー１０の基端部が止めねじ１３によって取外し可能に結合されている。
【００３０】
ティー１０の上端面には凹球面状に形成されてボールＢが載置されるボール受け面１０ａが凹設されている。
【００３１】次に、本発明の第３実施例の素振り練習用具Ａについて説明すると、本例では第１実施例の素振り練習用具Ａにおいて、基台１上には支持体４を駆動して軸方向へ繰返し往復移動させ、被叩打部材７の高さを一定範囲内で連続的に変化させる支持体駆動機構が設置され、この支持体駆動機構は例えばモータと、回転伝達部材と、カムと、カムフォロア等によって構成される。
【００３２】
【発明の効果】請求項１の発明によれば、被叩打部材を繰返し叩打しても、被叩打部材が元通りの形態に復元するので、被叩打部材を取替えたり、回収する作業が不要となり、素振りバッティング練習に伴う付随作業を無くして素振りバッティング練習を簡便化することができる。
【００３３】とくに、被叩打部材をバットによって叩打したときの被叩打部材とバットとの衝突状態によって被叩打部材の曲げ変形形態および叩打音が変化し、被叩打部材をバットの真芯で適正に叩打したときには被叩打部材およびバットが快音を発し、被叩打部材をバット真芯以外で不適正に叩打したときには被叩打部材およびバットが擦れ音を発するので、被叩打部材をバットで叩打したときの手ごたえを練習者が叩打音によって明確に聞き分けて被叩打部材を真芯で叩打したか否かを的確に判断することができるとともに、被叩打部材を適正なバッティングフォ−ムで叩打したか否かを的確に判断することができる。
【００３４】従って、被叩打部材をバットで繰り返し叩打することによって、バッティングフォ−ムを矯正してバッティング技術を向上させる適切な素振り練習を効果的に行うことができ、素振り練習の練習効果を高めることができる。
【００３５】請求項２の発明によれば、被叩打部材が水平方向に沿って設置され、また、被叩打部材の外径がボールの外径より縮小されているので、被叩打部材をバットの真芯で適正に叩打するためには、静止したボールをバットの真芯で適正に叩打するバッティング技術より厳正で高度のバッティング技術が要求されることになり、被叩打部材を繰り返し叩打することによる練習効果とくにバッティングフォ−ムの矯正効果を高めてバッティング技術を的確に向上させることができる。」
　
イ　引用例１に記載された発明の認定
　上記の記載から、引用例１には、素振り練習用具に関し、
「円板状の基台１は素振り練習用具Ａの設置状態を安定にするために必要な適度の重量および大きさを有し、練習時に床面若しくは地面等の設置面Ｓ上に乗置され、基台１の中心部上にはこの基台１に固定された丸パイプ状の支柱２が直立状に立設され、支柱２には、下部が支柱２内に挿入されて高さ調節ねじ３によって取外し可能に締結され、基台１の上方に上下方向への変位可能に設置されたほぼ丸パイプ状の支持体４が直立状で取外し可能に結合され、
　支持体４には素振り練習時にバットによって繰返し叩打される丸棒状の被叩打部材７が取外し可能に結合され、被叩打部材７は高度の曲げ弾発力を有するポリウレタン樹脂製の丸棒材によって形成され、被叩打部材７は、その基端付近が支持体４の挿通孔４ａに貫挿されてバットで叩打する目標となる自由端８が先端付近に形成された片持ち状態で水平方向に沿って設置され、
　支持体４には被叩打部材７の上方に設置された硬質合成樹脂製のティー１０が取外し可能に連結され、ティー１０の上端面には凹球面状に形成されてボールＢが載置されるボール受け面１０ａが凹設され、被叩打部材を叩打する素振り練習と、ティー上のボールを叩打する素振り練習とが選択的に行われるように構成し、
　被叩打部材７をバットによって叩打したときの被叩打部材７とバットとの衝突状態によって被叩打部材の曲げ変形形態および叩打音が変化し、被叩打部材７の自由端８をバットの真芯で適正に叩打したときには被叩打部材７およびバットが快音を発し、被叩打部材７の自由端８をバット真芯以外で不適正に叩打したときには被叩打部材およびバットが擦れ音を発するので、被叩打部材７をバットで叩打したときの手ごたえを練習者が叩打音によって明確に聞き分けて被叩打部材７の自由端８を真芯で叩打したか否かを的確に判断することができる素振り練習用具。」の発明（以下、「引用発明」という。）が記載されている。
　
ウ　原査定の拒絶の理由に引用され、本願の出願前に頒布された刊行物である実願昭５９−５６２５１号（実開昭６０−１６８８６４号）のマイクロフィルム（以下、「引用例２」という。）には、以下の事項が記載されている。
　
「３．考案の詳細な説明
　従来にも支柱式の打球打撃用具は多いがいずれもバツト等で側方から打つと安定性に乏しい。本考案は台にタイヤを用いて重心を低く、タイヤのゴム摩擦で移動し難く安定性の良いものを求めた。
　図のように、複数の肢１を横にしたタイヤ２の接地面３の小孔４から差し込み、中央の接続具５にネジ込み、その肢先をタイヤから短く突き出した。支柱６が接続具にネジ込み式に立つものとする。主に自動車用の新旧のタイヤを用いる。
　その構成により、本案はタイヤの重みと摩擦により安定の良い台となる。支柱に別のタイヤを差した例は単に一使用例であるが、バツトで打つた時に倒れることが無い。この例では上のタイヤの横回転を抑える支柱構造とする。共にタイヤのゴムが良いクツシヨンとなる。実施も容易で、ビルの屋上でも行え、健康運動にも役立つ。」（第１ページ第９行〜第２ページ第５行）
　
エ　原査定の拒絶の理由に引用され、本願の出願前に頒布された刊行物である登録実用新案第３０６４７０６号公報（以下、「引用例３」という。）には、以下の事項が記載されている。
　
「　　【０００７】
　　【考案の実施の形態】 図１は本考案の実施形態を示す図であり、これに基づき説明する。(１)はスポンジ,ゴム,発泡樹脂などの柔軟で比較的弱い復元力を有した短冊状で且つ立設する打撃目標部材である。この打撃目標部材(１) の復元力は、その先端をラケット等で打ち込んだ時に、打撃目標部材(１) の復元力が強過ぎると、反発力が大きくなって腕に不要な力が加わるので疲労の原因となり、一方、前記復元力が弱過ぎると、ボールに当った感触が得られず、従来の素振りと大して変らなくなってしまう。このため、復元力の強さの目安としては、多少抵抗があってボールの打撃感触がつかめる程度のなるべく弱い反発力を得るものが良い。前記打撃目標部材(１)が軟式テニスの初心者練習用として用いる場合は、風呂マットを６cm前後の幅で、３０〜４０cmの長さに切ったものを使用すると、練習で磨耗しても直ぐに用意でき、便利である。また打撃目標部材(１) の先端には打撃部(11)を形成させると良く、この打撃部(11)の設け方としては、ボール程度の大きさの円形を印刷などで描示したり［図２（ａ）参照］、打撃目標部材(１) の先端をカールさせたり［図２（ｂ）参照］、半球状のスポンジを貼着したりするが［図２（ｃ）参照］、他の方法で打撃部(11)を形成させても良い。この時の打撃目標部材(１) の長さは各種の球技種目に合わせて調節出来るように長めにすると良い。
　　　【０００８】
  (２)は打撃目標部材(１)の下部を挟持して立設させるための挟持部材であり、該挟持部材(２)は、後述する設置台(３)に取付ける固定部（21）と、該固定部（21）に対向し且つ水平移動可能な可動部（22）と、この可動部（22）を移動させるための移動手段（23）とから成るものであれば良く、特に書類ファイル用のレバー付き固定金具を用いると良い。この時、固定部（21）は設置台(３)に取付ける基盤であり、可動部（22）は押え込み板である。また移動手段（23）は基盤と押え込み板で軸支した連結軸とバネ付きレバーがあり、これを作動させると、押え込み板が解除されたり、押え込まれたりする。 (３)は挟持部材(２)を中央に配置して設けた設置台であり、該設置台(３)としては合成樹脂板や金属板等を用いる。又、板材に限定されるものではない。
      【０００９】
  図３は本考案の別実施形態を示す図であり、これに基づき説明する。(１)はスポンジ,ゴム,発泡樹脂などの復元力を有した長めの短冊状で且つ立設する打撃目標部材であり、該打撃目標部材(１) の長さは各種の球技種目に合わせて調節出来る長さが確保されている。また前記打撃目標部材(１) の先端には打撃部(11)をカールさせて形成している。尚、前記打撃部(11)は上記に限定されるものではない。  (２)は打撃目標部材(１)の下部を挟持して立設させるための挟持部材であり、該挟持部材(２)には、後述する設置台(３)に取付けるＬ字状の固定部（21）と、該固定部（21）に対向する可動部（22）と、該可動部（22）の両側に固定すると共に固定部（21）を貫通して設けたボルト（24）と、該ボルト（24）に螺合する蝶ナット（25）とがある。前記固定部（21）と可動部（22）には、前記打撃目標部材(１) の長さが各種の球技種目に合わせて出し入れして調節可能とするための逃がし用の穴（211）,（221）を穿設し、且つ前記固定部（21）と可動部（22）の内側には、抜け防止用の爪（212）,（222）を設けている（図４参照）。尚、前記穴（211）,（221）と爪（212）,（222）はどちらか一方だけに設けても良い。 (３)は挟持部材(２)の両側に固着させたパイプ材から成る設置台であり、該設置台(３)としては合成樹脂や金属製のパイプ材を用い、その両端にはゴムや合成樹脂のカバー（４）が嵌め込まれている。
      【００１０】
  次に本考案の使用方法について説明する。先ず始めに打撃目標部材(１)であるスポンジを挟持部材(２)に挟んで立てる。この時、挟持部材(２)の可動部（22）をレバーで広げ、打撃目標部材(１)を固定部（21）と可動部（22）の内側に入れた後、レバーを倒して挟持し固定する（図１参照）。打撃目標部材(１)が損傷して交換する際には、レバーを外して元の位置に戻せば、挟持部材(２)の可動部（22）が広がり、簡単に新たな打撃目標部材(１)と交換して立設することが出来るのである。」
　
「     【００１３】
    【考案の効果】
  本考案はこのように構成させたことにより、下記に記載する効果を有する。
      【００１４】
  請求項１のようにスポンジやゴムなどの復元力を有した短冊状で且つ立設する打撃目標部材(１)と、この打撃目標部材(１)の下部を挟持して立設させるための挟持部材(２)と、該挟持部材(２)を中央に配置して設けた設置台(３)とから少なくとも構成することにより、従来の如きテニスボールにゴム紐を付けた練習具を用いて、上手にボールに当てて打つ必要がないと共に速度の早い返りボールを打ち返すことも不要で、且つゴム紐の絡みの心配がなくなる。一方、本考案品は静止しているので、特に軟式テニスの初心者が素振り練習する時に打撃目標ができ、且つ、素振りの時に反発力が適宜に有ってボールの感触を得られると共に続けて素振り練習をしても余り疲れないものとなる。尚、ラケット等の素振り用練習具は硬式テニス,卓球,ソフトボールなどの各種球技にも使用できる。」
　
オ　原査定の拒絶の理由に引用され、本願の出願前に頒布された刊行物である米国特許第５００４２３４号明細書（以下、「引用例４」という。）には、以下の事項が記載されている。（日本語訳を記載する。）
　
「上記の装置の使用については、ウイングナット５４及び５６又はその他の同様な固定手段を最初に緩める。それにより、水平支持部材１４は、スロット１６及び１８に沿って、ホームベースの幅方向にまっすぐ、又は傾斜して動くことができ、かつ／又は、スロット２８に沿って動くことができる。こうして、ベースボール４２を、ホームベース１２に対して実質的に無限な数の位置に設置することができる。そして、その位置でウイングナット５４と５６を締めれば、バッティングティーの使用の準備が完了する。」（第３段第２７〜３６行）
　
カ　原査定の拒絶の理由に引用され、本願の出願前に頒布された刊行物である特表平１０−５０２２６０号公報（以下、「引用例５」という。）には、以下の事項が記載されている。
　
「図２、および図１の実線は、通常エリヤ３５に立って構える左打者がプレート１の外角にある球を打つ練習を行うためにバッティング・ティーを調節した位置を描写する。図２に示すように、滑動部材７が、これを装着している第２の伸長部材９とともに、ホームプレートから希望位置へ離れるように滑動され、第２の伸長部材９が、調節が可能なロック部材２９で、偏平なプレート２７の第１の凹部２７ａと係合するようにポイント３１を中心に回転される。次ぎに調節可能なロック部材２９が緊締されて第２の伸長部材9が図２に示す位置にロックされる。直立部材の筒状部２５を、その長手方向軸を中心に回転して、筒状部２５と台部１５ａの間の接続を緩める。次ぎに、直立部材１５を、図２に示すように、第２の伸長部材９の第１の端部９ａと隣り合う位置まで、第２の伸長部材９に沿って滑動する。次ぎに、筒状部２５をその長手方向軸を中心に、前記とは反対に回転して筒状部２５を上記の位置に固定する。その後で、固定部材２１とテレスコープ部１９を操作して、希望の高さになるように直立部材１５の高さを調節する。次ぎに、球の支持面１７の上に球を置く。上に説明したように、この特定の位置は左打者が外角球を打つ練習を行うために利用される。」（第８ページ第１４〜２８行）
　
（３）本願補正発明と引用発明との対比
ア　対比
　本願補正発明と引用発明とを対比する。
　
　引用発明の「基台」は、「円板状」であって、「必要な適度の重量および大きさを有し、練習時に床面若しくは地面等の設置面Ｓ上に乗置され」るものであること、また、本願補正発明の「自動車ホイール付きタイヤ」も素振り練習器具の安定に必要な適度の重量を有するものであるといえることから、引用発明の「基台」と、本願補正発明の「自動車ホイール付きタイヤ」及び「自動車ホイール付きタイヤの上面に設置する柱脚支持板」とは、「素振り練習器具の安定に必要な適度の重量を有する円板状の支持部材」である点で一致する。
　
　引用発明の「基台１の中心部上に」「直立状に立設され」る「丸パイプ状の支柱２」と、本願補正発明の「前記柱脚支持板から立設するアングル柱」とは、「前記支持部材から立設する柱」である点で一致する。
　
　引用発明の「下部が支柱２内に挿入されて高さ調節ねじ３によって取外し可能に締結され、基台１の上方に上下方向への変位可能に設置されたほぼ丸パイプ状の支持体４」と、本願補正発明の「このアングル柱に上下動自在に組み付けた上下スライド板」とは、「この柱に上下動自在に組み付けた上下スライド部材」である点で一致する。
　
　引用発明の「支持体４に」「取外し可能に結合され」る「素振り練習時にバットによって繰返し叩打される丸棒状の被叩打部材７」であって、「その基端付近が支持体４の挿通孔４ａに貫挿されてバットで叩打する目標となる自由端８が先端付近に形成された片持ち状態で水平方向に沿って設置され」る「ポリウレタン樹脂製」の「被叩打部材７」と、本願補正発明の「スイング方向に対して交叉するように前記上下スライド板に下端部を固定して該上下スライド板から垂直方向に伸びる上部を自由端とする板状の合成ゴム」とは、「上下スライド部材に一端部を固定して該上下スライド部材から伸びる他端部を自由端とする合成ゴム」である点で一致する。
　
　引用発明の「支持体４に」「被叩打部材７の上方に」「取外し可能に連結され」た「硬質合成樹脂製のティー１０」と、本願補正発明の「前記合成ゴムより高く突出するように前記上下スライド板に着脱自在に取り付けられた弾性部材ポール」とは、「前記合成ゴムより高く突出するように前記上下スライド部材に着脱自在に取り付けられた弾性部材ポール」である点で一致する。
　
　引用発明の「被叩打部材７をバットによって叩打したときの被叩打部材７とバットとの衝突状態によって被叩打部材の曲げ変形形態および叩打音が変化し、被叩打部材７の自由端８をバットの真芯で適正に叩打したときには被叩打部材７およびバットが快音を発し、被叩打部材７の自由端８をバット真芯以外で不適正に叩打したときには被叩打部材およびバットが擦れ音を発するので、被叩打部材７をバットで叩打したときの手ごたえを練習者が叩打音によって明確に聞き分けて被叩打部材７の自由端８を真芯で叩打したか否かを的確に判断することができる」ことが、本願補正発明の「前記合成ゴムをインパクトポイントとして、バットと合成ゴムの打突音の違いでスイングの良否を判断する素振り練習器具として機能する」ことに相当する。
　
　引用発明の「ティー１０の上端面には凹球面状に形成されてボールＢが載置されるボール受け面１０ａが凹設され、被叩打部材を叩打する素振り練習と、ティー上のボールを叩打する素振り練習とが選択的に行われるように構成」することと、本願補正発明の「前記弾性部材ポールの上にボールをセットして守備ノック用のティとしても転用可能で」あることとは、「前記弾性部材ポールの上にボールをセットして、その上のボールを打突して使用するティとしても転用可能で」ある点で一致する。
　
　引用発明の「ほぼ丸パイプ状の支持体４」が「基台１の上方に上下方向への変位可能に」「取外し可能に結合され」ることと、本願補正発明の「前記アングル柱に取付けられた上下スライド板を上下に移動をさせて位置決め」することとは、「前記アングル柱に取付けられた上下スライド部材を上下に移動をさせて位置決め」することで一致する。
　
　引用発明の「素振り練習用具」が、本願補正発明の「素振り練習器具」に相当する。
　
イ　一致点
　よって、本願補正発明と引用発明は、
「素振り練習器具の安定に必要な適度の重量を有する円板状の支持部材と、前記支持部材から立設する柱と、この柱に上下動自在に組み付けた上下スライド部材と、上下スライド部材に一端部を固定して該上下スライド部材から伸びる他端部を自由端とする合成ゴムと、前記合成ゴムより高く突出するように前記上下スライド部材に着脱自在に取り付けられた弾性部材ポールとを備え、前記合成ゴムをインパクトポイントとして、バットと合成ゴムの打突音の違いでスイングの良否を判断する素振り練習器具として機能するとともに、前記弾性部材ポールの上にボールをセットして、その上のボールを打突して使用するティとしても転用可能であり、かつ、前記柱に取付けられた上下スライド部材を上下に移動をさせて位置決めできる素振り練習器具。」の発明である点で一致し、次の各点で相違する。
　
ウ　相違点
（ア）相違点１
　円板状の支持部材が、本願補正発明においては、「自動車ホイール付きタイヤ」及び「自動車ホイール付きタイヤの上面に設置する柱脚支持板」からなるのに対して、引用発明においては、そのような限定がない点。
　
（イ）相違点２
　円板状の支持部材（「自動車ホイール付きタイヤ」及び「自動車ホイール付きタイヤの上面に設置する柱脚支持板」）からアングル柱を立設するのに、本願補正発明は「この柱脚支持板から垂設して前記自動車ホイールを貫通する柱脚固定ボルト」と、「この柱脚固定ボルトに挿通する柱脚固定座板」と、「前記柱脚固定ボルトに螺着して前記柱脚支持板と柱脚固定座板とで前記自動車ホイールを挟み付けナット」を用いるのに対して、引用発明においては、そのような限定がない点。
　
（ウ）相違点３
　支持部材から立設する柱が、本願補正発明では「アングル柱」であるのに対して、引用発明においては、そのような限定がない点。
　
（エ）相違点４
　バットで打突される部材である合成ゴムに関して、本願補正発明は、「板状」であって、「その伸びる方向が上下方向であり、下端部を固定して上部を自由端とする」のに対して、引用発明は、「丸棒状」であって、「その伸びる方向が水平方向であり、一端部を固定端として他端部を自由端とする」点。
　
（オ）相違点５
　上下スライド部材に関して、本願補正発明は、上下スライド「板」であるのに対して、引用発明においては、そのような限定がない点。
　
（カ）相違点６
　本願補正発明は、合成ゴムと上下スライド部材との間に振れ止めを介在するのに対して、引用発明においては、そのような限定がない点。
　
（キ）相違点７
　本願補正発明は、合成ゴムに対してスイング方向前側に位置して柱脚支持板に左右方向に移動自在に取り付けたホームベース板とを備え、左右方向の位置決めについて、ホームベース板の移動によって、コース選択できるようにしたのに対して、引用発明においては、そのような限定がない点。
　
（ク）相違点８
　その上のボールを打突して使用するティについて、本願補正発明は、守備ノック用とするのに対して、引用発明においては、そのような限定がない点。
　
（４）当審の判断
ア　上記各相違点について検討する。
（ア）相違点１について
　引用例２には、打球打撃用具（素振り練習器具）の台として、その重みを勘案してタイヤを用いることが記載されている。
　引用発明においても、引用例２に記載された発明を適用し、台（支持部材）としてタイヤを採用することに格別の困難性はなく、そして、タイヤを採用するに際しては、「自動車ホイール付き」で採用するか、「自動車ホイールを外して（付けずに）」採用するかのいずれかを２者択一的に選択してタイヤを採用することになるところ、素振り練習用具の安定性のために重量を重くするように、「自動車ホイール付き」でタイヤを採用し、そして、その上に柱脚支持板を設置するとして、上記相違点１に係る本願補正発明の発明特定事項を得ることは当業者が容易に想到し得たことである。
　
（イ）相違点２について
　支持部材からアングル柱を立設するに際して、支持部材とアングル柱の固定のしかたは、種々の手法が考えられ、どのような固定の手法を採用するかは、当業者が適宜設定し得る設計的事項であるといえるところ、上記の固定において「（柱脚支持板から垂設して自動車ホイールを貫通する）柱脚固定ボルト」と、「（柱脚固定ボルトに挿通する）柱脚固定座板」と、「（柱脚固定ボルトに螺着して柱脚支持板と柱脚固定座板とで自動車ホイールを挟み付ける）ナット」を用いるとして、上記相違点２に係る本願補正発明の発明特定事項を得ることは当業者が容易に想到し得たことである。
　
（ウ）相違点３について
　支持部材（台）から立設して部材を支える柱（支柱）として、アングル柱は周知である。
　引用発明においても、上記の周知のアングル柱を採用し、上記相違点３に係る本願補正発明の発明特定事項を得ることは当業者が容易に想到し得たことである。
　
（エ）相違点４，５について
　引用例３には、バットで打撃する素振り用練習具（【００１４】段落において「ソフトボール」にも使用できることが記載されている点を参照）において、打撃目標部材を「スポンジ,ゴム,発泡樹脂などの柔軟で比較的弱い復元力を有した短冊状で且つ立設する」（【０００７】段落）ものとし、「打撃目標部材の下部を挟持して立設させる」（【０００８】段落）ことが記載されている。すなわち、引用例３には、バットで打突される部材である合成ゴムに関して、「板状」であって、「その伸びる方向が上下方向であり、下端部を固定して上部を自由端とする」ことが記載されているといえる。
　引用発明においても、引用例３に記載された発明を適用し、そして、その際に、バットで打突される部材である合成ゴムを板状としたことに合わせて、それをスライドさせるスライド部材も板状として、上記相違点４，５に係る本願補正発明の発明特定事項を得ることは当業者が容易に想到し得たことである。
　
（オ）相違点６について
　打撃（素振り）練習具において、打突される部材とその支持部材の間に振れ止めを設けることは、例えば、特開２００３−１７５１４０号公報（【００３０】段落）、実願平１−８４２３４号（実開平３−２４１６９号）のマイクロフィルム（第４ページ第７〜１２行）にも記載されているように周知の技術であり、また、一般論としても、振動する部材を弾性部材（振れ止め）を介在させて支持部材に取り付けることによって耐久性を高めることも、例えば、実願昭５９−１０９６３７号（実開昭６１−２４５５２号）のマイクロフィルムに記載されているように周知の技術である。
　したがって、引用発明においても、上記周知技術を採用して、被叩打部材（合成ゴム）と支持体（上下スライド板）の間に振れ止めを介在するとして、上記相違点６に係る本願補正発明の発明特定事項を得ることは当業者が容易に想到し得たことである。
　
（カ）相違点７について
　打撃（素振り）練習具において、ホームベース板とを備え、打突される部材のホームベース板との相対的な左右方向の位置決めについて、打突される部材をホームベース板に対して相対的に移動させてコース選択できるようにしたものが、引用例４，５に記載されている。
　引用発明においても，上記引用例４，５に記載された技術を適用し、上記相違点７に係る本願補正発明の発明特定事項を得ることは当業者が容易に想到し得たことである。
　
（キ）相違点８について
　相違点８は、その上のボールを打突して使用するティーの使用方法に関する相違点であり、発明が対象とする「もの（素振り練習器具）」の構造に関する相違点ではないから、実質的な相違点ではない。
　なお、その上のボールを打突して使用するティーの用い方として、打撃練習した際にボールが前方へ飛ぶことから、それを守備練習に適用することは、当業者であれば容易に想到し得ることであり、上記ティーを守備ノック用としたことに格別の困難性は認められない。
　
イ　本願補正発明の奏する作用効果
　そして、本願補正発明によってもたらされる効果は、引用発明、引用例２ないし５に記載された発明及び上記の周知技術から当業者が予測し得る程度のものである。
　
ウ　まとめ
　以上のとおり、本願補正発明は、引用例１ないし５に記載された発明及び周知技術に基いて当業者が容易に発明をすることができたものであるから、特許法第２９条第２項の規定により特許を受けることができない。
　
３　むすび
　したがって、本願補正発明は特許出願の際独立して特許を受けることができるものであるということができないから、本件補正は、平成１８年改正前特許法第１７条の２第５項で準用する同法第１２６条第５項の規定に違反するものであり、特許法第１５９条第１項で読み替えて準用する同法第５３条第１項の規定により却下されるべきものである。
　
 第３　本願発明について
１　本願発明
　平成２０年４月２５日付けの手続補正は、上記のとおり却下されたので、本願の請求項１に係る発明（以下、「本願発明」という。）は、平成１９年１１月２０日付けの手続補正により補正された特許請求の範囲の請求項１に記載された事項により特定されるとおりのものである。（上記「第２　平成２０年４月２５日付けの手続補正についての補正の却下の決定について」の「１　本件補正について」の記載参照。）
　
２　引用例
　原査定の拒絶の理由に引用された引用例の記載事項及び引用発明については、上記「第２　２０年４月２５日付けの手続補正についての補正の却下の決定について」の「２　独立特許要件違反についての検討」の「（２）引用例」に記載したとおりである。
　
３　対比・判断
　上記「第２　平成２０年４月２５日付けの手続補正についての補正の却下の決定について」の「１　本件補正について」に記載したように、本願発明に対して、合成ゴムの伸びる方向に関して、「スイング方向に対して交叉する」「上下スライド板から垂直方向」と限定して特定し、また、合成ゴムに関して「板状」であると限定して特定したものが本願補正発明である。
　そうすると、本願発明の発明特定事項をすべて含み、本願発明をさらに限定して特定したものに相当する本願補正発明が、上記「第２　平成２０年４月２５日付けの手続補正についての補正の却下の決定について」の「２　独立特許要件違反についての検討」の「（３）本願補正発明と引用発明との対比」及び「（４）当審の判断」において記載したとおり、引用例１ないし５に記載された発明及び周知技術に基いて、当業者が容易に発明をすることができたものであるから、本願発明も、同様に、引用例１ないし５に記載された発明及び周知技術に基いて、当業者が容易に発明をすることができたものである。
　
４　むすび
　以上のとおり、本願の請求項１に係る発明は、引用例１ないし５に記載された発明及び周知技術に基いて、当業者が容易に発明をすることができたものであるから、特許法第２９条第２項の規定により特許を受けることができない。
　したがって、本願は拒絶すべきものである。
　
　よって、結論のとおり審決する。